(57)【特許請求の範囲】
【請求項１】
バックライト輝度制御方法であって、複数のバックライトランプを含む第１のバックライトランプアセンブリと複数のバックライトランプを含む第２のバックライトランプアセンブリとを含む端末に適用され、前記端末が、前記第１のバックライトランプアセンブリの前記バックライトランプ及び前記第２のバックライトランプアセンブリの前記バックライトランプに電流を提供し、前記方法が、
現在輝度値を標的輝度値に調整するための制御命令を受信することと、
前記現在輝度値が第１の閾値よりも大きく且つ前記標的輝度値が前記第１の閾値よりも小さい場合、前記第１のバックライトランプアセンブリの前記バックライトランプへの電流の提供を停止し、前記第２のバックライトランプアセンブリの前記バックライトランプが前記標的輝度値に達するために必要な第１の標的電流値を決定し、前記第２のバックライトランプアセンブリの前記バックライトランプに前記第１の標的電流値を提供することと、
前記現在輝度値が、前記第１の閾値以上である第２の閾値よりも小さく且つ前記標的輝度値が前記第２の閾値よりも大きい場合、前記第１のバックライトランプアセンブリの前記バックライトランプ及び前記第２のバックライトランプアセンブリの前記バックライトランプが共に前記標的輝度値に達するために必要な第２の標的電流値を決定し、前記第１のバックライトランプアセンブリの前記バックライトランプ及び前記第２のバックライトランプアセンブリの前記バックライトランプに前記第２の標的電流値を提供すること、
を含む、
ことを特徴するバックライト輝度制御方法。
【請求項２】
前記制御命令を受信した後、
前記現在輝度値及び前記標的輝度値がいずれも前記第１の閾値よりも大きい場合、前記第１のバックライトランプアセンブリの前記バックライトランプ及び前記第２のバックライトランプアセンブリの前記バックライトランプが共に前記標的輝度値に達するために必要な第３の標的電流値を決定し、前記第１のバックライトランプアセンブリの前記バックライトランプ及び前記第２のバックライトランプアセンブリの前記バックライトランプに前記第３の標的電流値を提供することを更に含む、
請求項１に記載の方法。
【請求項３】
前記制御命令を受信した後、
前記現在輝度値及び前記標的輝度値がいずれも前記第１の閾値よりも小さく且つ前記第１のバックライトランプアセンブリの前記バックライトランプにのみ電流が提供されている場合、前記第１のバックライトランプアセンブリの前記バックライトランプが前記標的輝度値に達するために必要な第４の標的電流値を決定し、前記第１のバックライトランプアセンブリの前記バックライトランプに前記第４の標的電流値を提供することを更に含む、
請求項１又は２に記載の方法。
【請求項４】
前記第１のバックライトランプアセンブリの前記バックライトランプへの電流の提供を停止する前に、
前記第１のバックライトランプアセンブリの第１の合計動作時間及び前記第２のバックライトランプアセンブリの第２の合計動作時間のそれぞれを決定することと；
前記第１の合計動作時間が前記第２の合計動作時間よりも長いかどうかを判定することと；
前記第１の合計動作時間が前記第２の合計動作時間よりも長い場合、前記第１のバックライトランプアセンブリの前記バックライトランプへの電流の提供を停止することと；
前記第１の合計動作時間が前記第２の合計動作時間以下である場合、前記第２のバックライトランプアセンブリの前記バックライトランプへの電流の提供を停止し、前記第１のバックライトランプアセンブリの前記バックライトランプが前記標的輝度値に達するために必要な第５の標的電流値を決定し、前記第１のバックライトランプアセンブリの前記バックライトランプに前記第５の標的電流値を提供することと
を更に含む、
請求項１から３のいずれかに記載の方法。
【請求項５】
バックライト輝度制御装置であって、
複数のバックライトランプを含む第１のバックライトランプアセンブリ及び複数のバックライトランプを含む第２のバックライトランプアセンブリと、
現在輝度値を標的輝度値に調整するための制御命令を受信するようになっている受信モジュールと、
前記現在輝度値が第１の閾値よりも大きく且つ前記標的輝度値が前記第１の閾値よりも小さい場合、前記第１のバックライトランプアセンブリの前記バックライトランプへの電流の提供を停止し、前記第２のバックライトランプアセンブリの前記バックライトランプが前記標的輝度値に達するために必要な第１の標的電流値を決定し、前記第２のバックライトランプアセンブリの前記バックライトランプに前記第１の標的電流値を提供するようになっている第１の実行モジュールと、
前記現在輝度値が、前記第１の閾値以上である第２の閾値よりも小さく且つ前記標的輝度値が前記第２の閾値よりも大きい場合、前記第１のバックライトランプアセンブリの前記バックライトランプ及び前記第２のバックライトランプアセンブリの前記バックライトランプが共に前記標的輝度値に達するために必要な第２の標的電流値を決定し、前記第１のバックライトランプアセンブリの前記バックライトランプ及び前記第２のバックライトランプアセンブリの前記バックライトランプに前記第２の標的電流値を提供するようになっている第２の実行モジュールと、
を含む、
ことを特徴とするバックライト輝度制御装置。
【請求項６】
前記現在輝度値及び前記標的輝度値がいずれも前記第１の閾値よりも大きい場合、前記第１のバックライトランプアセンブリの前記バックライトランプ及び前記第２のバックライトランプアセンブリの前記バックライトランプが共に前記標的輝度値に達するために必要な第３の標的電流値を決定し、前記第１のバックライトランプアセンブリの前記バックライトランプ及び前記第２のバックライトランプアセンブリの前記バックライトランプに前記第３の標的電流値を提供するようになっている第３の実行モジュールを更に含む請求項５に記載の装置。
【請求項７】
前記現在輝度値及び前記標的輝度値がいずれも前記第１の閾値よりも小さく且つ前記第１のバックライトランプアセンブリの前記バックライトランプにのみ電流が提供されている場合、前記第１のバックライトランプアセンブリの前記バックライトランプが前記標的輝度値に達するために必要な第４の標的電流値を決定し、前記第１のバックライトランプアセンブリの前記バックライトランプに前記第４の標的電流値を提供するようになっている第４の実行モジュールを更に含む、
請求項５又は６に記載の装置。
【請求項８】
前記第１のバックライトランプアセンブリの第１の合計動作時間及び前記第２のバックライトランプアセンブリの第２の合計動作時間のそれぞれを決定するようになっている第１の決定モジュールと；
前記第１の合計動作時間が前記第２の合計動作時間よりも長いかどうかを判定するようになっている第１の判定モジュールと；
前記第１の合計動作時間が前記第２の合計動作時間よりも長い場合、前記第１の実行モジュールを実行し、前記第１の合計動作時間が前記第２の合計動作時間以下である場合、前記第２のバックライトランプアセンブリの前記バックライトランプへの電流の提供を停止し、前記第１のバックライトランプアセンブリの前記バックライトランプが前記標的輝度値に達するために必要な第５の標的電流値を決定し、前記第１のバックライトランプアセンブリの前記バックライトランプに前記第５の標的電流値を提供するようになっている第５の実行モジュールと
を更に含む、
請求項５から７のいずれかに記載の装置。
【請求項９】
コンピュータ上での実行時に、請求項１から４のいずれかに記載のバックライト輝度制御方法を前記コンピュータに実行させるためのコンピュータプログラム。
【請求項１０】
請求項９に記載のコンピュータプログラムが保存されているコンピュータ可読記憶媒体。
【発明の詳細な説明】
【技術分野】
【０００１】
関連出願の相互参照
本願は、２０１４年８月２６日出願の中国特許出願第２０１４１０４２３１２９．３号に基づき、これに対する優先権を主張し、全文を参照することによって本明細書に援用する。
【０００２】
本開示は、通信技術の分野、より具体的には、バックライト輝度制御方法及びバックライト輝度制御装置に関する。
【背景技術】
【０００３】
インテリジェント装置は、日常生活において光の弱い場所で用いられることが多い。インテリジェント装置のバックライトランプからの光は、周囲光が弱いときに眩しくなることがあるので、ユーザは、インテリジェント装置のバックライトランプが環境に適応してより低い輝度の光を発することができるように、バックライトランプの輝度を下げる。しかし、インテリジェント装置のバックライトランプの輝度を最低に調整した場合でさえも、ユーザは、暗い場所でインテリジェント装置を用いるときに眩しく感じることがある。
【０００４】
端末の制御チップによってバックライトランプに提供される電流は、バックライトランプの輝度に正比例するので、輝度を下げることを目的とする関連技術ではインテリジェント装置のバックライトランプに供給される電流が減少する。しかし、バックライトランプに供給される電流を減少させることでしかバックライトランプの輝度を低下させられない場合、バックライトランプに供給される電流がある程度減少したときにバックライトランプに電流を提供するための制御チップのシグナル対ノイズ比が低めになるので、制御チップが外部ノイズによって著しく影響を受ける。その結果、ユーザがインテリジェント装置の輝度を一定の超低レベルに設定した場合、インテリジェント装置の制御チップが外部ノイズ干渉に曝されることがあるので、制御チップからバックライトランプへの電流出力が不安定になることがある。バックライトランプが不安定な電流供給を受ける場合、制御チップからの電流供給が変動したときバックライトランプの輝度がちらつくので、バックライトランプを一定の低輝度で維持することができない。低輝度におけるインテリジェント装置のバックライトランプのちらつきは、ユーザ体験を悪化させるだけでなく、不安定な電流下で動作することによりバックライトランプの耐用寿命も短くなる。
【０００５】
したがって、対処すべき技術的課題は、インテリジェント装置のバックライトランプが超低輝度の光を安定的に発せられるようにする方法である。
【発明の概要】
【発明が解決しようとする課題】
【０００６】
関連分野における既存の課題を解決するために、本開示は、インテリジェント装置のバックライトランプが超低輝度の光を安定的に発せられるようにする、バックライト輝度制御方法及びバックライト輝度制御装置を提供する。
【課題を解決するための手段】
【０００７】
本開示の第１の態様によれば、バックライト輝度制御方法が提供される。前記方法は、複数のバックライトランプを含む第１のバックライトランプアセンブリと複数のバックライトランプを含む第２のバックライトランプアセンブリとを含む端末に適用され、前記端末は、前記第１のバックライトランプアセンブリのバックライトランプ及び前記第２のバックライトランプアセンブリのバックライトランプに電流を提供する。前記方法は、現在輝度値を標的輝度値に調整するための制御命令を受信することと；前記現在輝度値が第１の閾値よりも大きく且つ前記標的輝度値が前記第１の閾値よりも小さい場合、第１のバックライトランプアセンブリのバックライトランプへの電流の提供を停止し、第２のバックライトランプアセンブリのバックライトランプが前記標的輝度値に達するために必要な第１の標的電流値を決定し、前記第２のバックライトランプアセンブリのバックライトランプに前記第１の標的電流値を提供することとを含む。
【０００８】
或いは、制御命令を受信した後、前記方法は、現在輝度値が、第１の閾値以上である第２の閾値よりも小さく且つ標的輝度値が前記第２の閾値よりも大きい場合、第１のバックライトランプアセンブリのバックライトランプ及び第２のバックライトランプアセンブリのバックライトランプが共に前記標的輝度値に達するために必要な第２の標的電流値を決定し、前記第１のバックライトランプアセンブリのバックライトランプ及び前記第２のバックライトランプアセンブリのバックライトランプに前記第２の標的電流値を提供することを更に含む。
【０００９】
或いは、制御命令を受信した後、前記方法は、現在輝度値及び標的輝度値がいずれも第１の閾値よりも大きい場合、第１のバックライトランプアセンブリのバックライトランプ及び第２のバックライトランプアセンブリのバックライトランプが共に標的輝度値に達するために必要な第３の標的電流値を決定し、前記第１のバックライトランプアセンブリのバックライトランプ及び前記第２のバックライトランプアセンブリのバックライトランプに前記第３の標的電流値を提供することを更に含む。
【００１０】
或いは、制御命令を受信した後、前記方法は、現在輝度値及び標的輝度値がいずれも第１の閾値よりも小さく且つ第１のバックライトランプアセンブリのバックライトランプにのみ電流が提供されている場合、前記第１のバックライトランプ群の前記バックライトランプが前記標的輝度値に達するために必要な第４の標的電流値を決定し、前記第１のバックライトランプアセンブリのバックライトランプに前記第４の標的電流値を提供することを更に含む。
【００１１】
或いは、第１のバックライトランプアセンブリのバックライトランプへの電流の提供を停止する前に、前記方法は、前記第１のバックライトランプアセンブリの第１の合計動作時間及び第２のバックライトランプアセンブリの第２の合計動作時間のそれぞれを決定することと；前記第１の合計動作時間が前記第２の合計動作時間よりも長いかどうかを判定することと；前記第１の合計動作時間が前記第２の合計動作時間よりも長い場合、前記第１のバックライトランプアセンブリのバックライトランプへの電流の提供を停止することと；前記第１の合計動作時間が前記第２の合計動作時間以下である場合、前記第２のバックライトランプアセンブリのバックライトランプへの電流の提供を停止し、前記第１のバックライトランプアセンブリのバックライトランプが標的輝度値に達するために必要な第５の標的電流値を決定し、前記第１のバックライトランプアセンブリのバックライトランプに前記第５の標的輝度値を提供することとを更に含む。
【００１２】
本開示の実施形態の第２の態様によれば、バックライト輝度制御装置であって、複数のバックライトランプを含む第１のバックライトランプアセンブリ及び複数のバックライトランプを含む第２のバックライトランプアセンブリと、現在輝度値を標的輝度値に調整するための制御命令を受信するようになっている受信モジュールと、前記現在輝度値が第１の閾値よりも大きく且つ前記標的輝度値が前記第１の閾値よりも小さい場合、前記第１のバックライトランプアセンブリのバックライトランプへの電流の提供を停止し、前記第２のバックライトランプアセンブリのバックライトランプが前記標的輝度値に達するために必要な第１の標的電流値を決定し、前記第２のバックライトランプアセンブリのバックライトランプに前記第１の標的電流値を提供するようになっている第１の実行モジュールとを含むバックライト輝度制御装置が提供される。
【００１３】
或いは、前記装置は、現在輝度値が、第１の閾値以上である第２の閾値よりも小さく且つ標的輝度値が前記第２の閾値よりも大きい場合、第１のバックライトランプアセンブリのバックライトランプ及び第２のバックライトランプアセンブリのバックライトランプが共に前記標的輝度値に達するために必要な第２の標的電流値を決定し、前記第１のバックライトランプアセンブリのバックライトランプ及び前記第２のバックライトランプアセンブリのバックライトランプに前記第２の標的電流値を提供するようになっている第２の実行モジュールを更に含む。
【００１４】
或いは、前記装置は、現在輝度値及び標的輝度値がいずれも第１の閾値よりも大きい場合、第１のバックライトランプアセンブリのバックライトランプ及び第２のバックライトランプアセンブリのバックライトランプが共に前記標的輝度値に達するために必要な第３の標的電流値を決定し、前記第１のバックライトランプアセンブリのバックライトランプ及び前記第２のバックライトランプアセンブリのバックライトランプに前記第３の標的電流値を提供するようになっている第３の実行モジュールを更に含む。
【００１５】
或いは、前記装置は、現在輝度値及び標的輝度値がいずれも第１の閾値よりも小さく且つ第１のバックライトランプアセンブリのバックライトランプにのみ電流が提供されている場合、前記第１のバックライトランプアセンブリのバックライトランプが前記標的輝度値に達するために必要な第４の標的電流値を決定し、前記第１のバックライトランプアセンブリのバックライトランプに前記第４の標的電流値を提供するようになっている第４の実行モジュールを更に含む。
【００１６】
或いは、前記装置は、第１のバックライトランプアセンブリの第１の合計動作時間及び第２のバックライトランプアセンブリの第２の合計動作時間のそれぞれを決定するようになっている第１の決定モジュールと；前記第１の合計動作時間が前記第２の合計動作時間よりも長いかどうかを判定するようになっている第１の判定モジュールと；前記第１の合計動作時間が前記第２の合計動作時間よりも長い場合、第１の実行モジュールを実行し、前記第１の合計動作時間が前記第２の合計動作時間以下である場合、前記第２のバックライトランプアセンブリのバックライトランプへの電流の提供を停止し、前記第１のバックライトランプアセンブリのバックライトランプが標的輝度値に達するために必要な第５の標的電流値を決定し、前記第１のバックライトランプアセンブリのバックライトランプに前記第５の標的電流値を提供するようになっている第５の実行モジュールとを更に含む。
【００１７】
本開示の実施形態の第３の態様によれば、バックライト輝度制御装置であって、プロセッサと、前記プロセッサによって実行可能な命令を保存するようになっているメモリとを含み、前記プロセッサが、現在輝度値を標的輝度値に調整するための制御命令を受信し；前記現在輝度値が第１の閾値よりも大きく且つ前記標的輝度値が前記第１の閾値よりも小さい場合、第１のバックライトランプアセンブリのバックライトランプへの電流の提供を停止し、第２のバックライトランプアセンブリのバックライトランプが前記標的輝度値に達するために必要な第１の標的電流値を決定し、前記第２のバックライトランプアセンブリのバックライトランプに前記第１の標的電流値を提供するようになっているバックライト輝度制御装置が提供される。
【００１８】
本開示の実施形態によれば、技術的解決策は、以下の効果を有する：標的輝度値が第１の閾値よりも小さい場合、第２のバックライトランプアセンブリのバックライトランプにのみ標的電流値を提供し、第１のバックライトランプアセンブリのバックライトランプへの電流供給を停止する。第１のバックライトランプアセンブリのバックライトランプは光を発しないので、電流供給が低すぎることに起因する外部ノイズの干渉を避けるために、第２のバックライトランプアセンブリのバックライトランプに供給される標的電流値を増加させることによって、生じる輝度損失を補う必要がある。本開示に係る方法により、バックライトランプが超低輝度の光を安定的に発せられるようになる。
【００１９】
前述の概説及び以下の詳細な説明はいずれも例示及び説明のためだけに提供されるものであり、特許請求の範囲のように本発明を限定するものではないことを理解されたい。
【図面の簡単な説明】
【００２０】
本明細書の一部に組み込まれ且つ本明細書の一部を構成する添付図面は、本開示に一致する実施形態を示し、明細書の記載と共に、本開示の原理を説明するためのものである。
【図１】図１は、例示的な実施形態に係るバックライト輝度制御方法のフローチャートである。
【図２】図２は、例示的な実施形態に係るバックライト輝度制御装置の概略図である。
【図３】図３は、例示的な実施形態に係るバックライト輝度制御装置のブロック図である。
【発明を実施するための形態】
【００２１】
添付図面に例を示す例示的な実施形態を詳細に参照する。以下の記載は、特に定めのない限り、異なる図面における同じ数字が同じ又は類似の要素を表す添付図面を参照する。例示的な実施形態の以下の説明に記載されている実施は、本開示に一致する全ての実施を表すものではない。その代わり、添付の特許請求の範囲に記載されている開示に関連する態様に一致する装置及び方法の単なる例である。
【００２２】
図１は、例示的な実施形態に係るバックライト輝度制御方法のフローチャートである。図１を参照すると、前記方法は、複数のバックライトランプを含む第１のバックライトランプアセンブリと複数のバックライトランプを含む第２のバックライトランプアセンブリとを含む端末に適用することができ、前記端末は、前記第１のバックライトランプアセンブリのバックライトランプ及び前記第２のバックライトランプアセンブリのバックライトランプに電流を提供する。本開示に係る方法により、バックライトランプが超低輝度の光を安定的に発せられるようになる。前記方法は、以下の工程を含む。
【００２３】
工程１１では、現在輝度値を標的輝度値に調整するための制御命令が受信される。
【００２４】
端末のスクリーンには、第１のバックライトランプアセンブリ及び第２のバックライトランプアセンブリが搭載されている。端末が、第１のバックライトランプアセンブリ及び第２のバックライトランプアセンブリに電流を提供するとき、第１のバックライトランプアセンブリ及び第２のバックライトランプアセンブリに含まれている複数のバックライトランプが光を発してスクリーンを照らし、それによって、ユーザは、スクリーン上のコンテンツを見ることができる。通常、制御命令を受信したとき、端末は、第１のバックライトランプアセンブリ及び第２のバックライトランプアセンブリの複数のバックライトランプが標的輝度値に対応する光を発するように、前記標的輝度値に対応する電流値を決定し、前記第１のバックライトランプアセンブリ及び前記第２のバックライトランプアセンブリに前記電流値を提供する。
【００２５】
更に、端末によって受信される制御命令は、ユーザによって手動でトリガーすることもできる。例えば、ユーザが端末のスクリーンの現在輝度値に満足していない場合、ユーザは、端末のボタンを押すかスクリーンにタッチして、現在輝度値を標的輝度値に調整するための制御命令を端末に入力することができる。端末によって受信される制御命令は、特定の状況では端末内部のセンサによってトリガーすることもできる。例えば、端末における光センサによって集光される周囲光の輝度が特定の閾値よりも低い場合、光センサは、現在輝度値を標的輝度値に調整するための制御命令を端末に送信する。
【００２６】
更に、現在輝度値は、その時点における端末のスクリーンの輝度値であり、標的輝度値は、調整された輝度値である。端末のスクリーンの輝度値が最大に達した場合、それは、端末が、第１のバックライトランプアセンブリのバックライトランプ及び第２のバックライトランプアセンブリのバックライトランプに最大定格動作電流を提供していることを意味し；端末のスクリーンの輝度値が最小に達した場合、それは、端末が、第１のバックライトランプアセンブリのバックライトランプ及び第２のバックライトランプアセンブリのバックライトランプに最小定格動作電流を提供していることを意味する。例えば、端末のスクリーンの輝度値は、百分率によって表され、端末が第１のバックライトランプアセンブリのバックライトランプ及び第２のバックライトランプアセンブリのバックライトランプに提供する定格動作電流は、１ｍＡ〜２０ｍＡになるようになっている。端末は、輝度値が１００パーセントである場合、第１のバックライトランプアセンブリのバックライトランプ及び第２のバックライトランプアセンブリのバックライトランプに２０ｍＡの電流を提供し、輝度値が５パーセントである場合、１ｍＡの電流を提供し、輝度値が１０パーセントである場合、１０ｍＡの電流を提供し得る。
【００２７】
工程１２では、現在輝度値が第１の閾値よりも大きく且つ標的輝度値が前記第１の閾値よりも小さい場合、第１のバックライトランプアセンブリのバックライトランプへの電流の提供が停止され、第２のバックライトランプアセンブリのバックライトランプが標的輝度値に達するために必要な第１の標的電流値が決定され、第２のバックライトランプアセンブリのバックライトランプに第１の標的電流値が提供される。
【００２８】
第１の閾値は、事前に設定された輝度値であり、端末のスクリーンのバックライトランプの数及びバックライトランプの定格動作電流の範囲が変化するにつれて変動する。第１の閾値は、単一のバックライトランプアセンブリの操作と２つのバックライトランプアセンブリの操作との間の臨界点である。標的輝度値が第１の閾値以上である場合、第１のバックライトランプアセンブリのバックライトランプ及び第２のバックライトランプアセンブリのバックライトランプは、同時に動作し；標的輝度値が第１の閾値よりも小さい場合、第１のバックライトランプアセンブリのバックライトランプ又は第２のバックライトランプアセンブリのバックライトランプが動作する。現在輝度値が第１の閾値よりも大きく且つ標的輝度値が第１の閾値よりも小さい場合、端末は、その時点で第１のバックライトランプアセンブリのバックライトランプ及び第２のバックライトランプアセンブリのバックライトランプに同時に電流を提供しているが、２つのバックライトランプアセンブリのうちの１つの電源を切る必要があることを意味する。その結果、小さな標的輝度値に対して供給されている電流が比較的低いので、バックライトランプから発せられる光のちらつき又は不安定な輝度を避けることができる。
【００２９】
更に、端末が第１のバックライトランプアセンブリのバックライトランプへの電流の提供を停止した後、前記端末は、第２のバックライトランプアセンブリのバックライトランプが標的輝度値に達するために必要な第１の標的電流値を決定する。第２のバックライトランプアセンブリのバックライトランプの数は既知であり、１ミリアンペア当たりの各バックライトランプによって発せられる輝度及び標的輝度値も既知であるので、式（Ａ）：「バックライトランプの数×標的電流値×各ランプの１ミリアンペア当たりの輝度値＝標的輝度値」に従って、標的輝度値に必要な第１の標的電流値を求めることができる。
【００３０】
以下では、本開示の解決策について説明するための例を提供する。例えば、端末のスクリーンの輝度値は、百分率によって表され、端末が第１のバックライトランプアセンブリのバックライトランプ及び第２のバックライトランプアセンブリのバックライトランプに提供する定格動作電流は、１ｍＡ〜２０ｍＡになるようになっている。端末が第１のバックライトランプアセンブリのバックライトランプ及び第２のバックライトランプアセンブリのバックライトランプに１ｍＡ未満の電流を提供する場合、バックライトランプがちらついたり、バックライトランプの輝度が不安定になったりすることがある。第１のバックライトランプアセンブリには６つのバックライトランプが存在し、第２のバックライトランプアセンブリには６つのバックライトランプが存在し、各バックライトランプの１ミリアンペア当たりの輝度は、０．４％であり、現在輝度値は、１０％であり、電流値は、その時点で２ｍＡであり、標的輝度値は、３．７５％である。式（Ａ）：「バックライトランプの数×標的電流値×各ランプの１ミリアンペア当たりの輝度値＝標的輝度値」によれば、第１の閾値＝バックライトランプの数（１２）×標的電流値（１ｍＡ）×各ランプの１ミリアンペア当たりの輝度値（０．４％）＝４．８％になるので、第１の閾値は、４．８％である。現在輝度値１０％は、第１の閾値４．８％よりも大きく、標的輝度値３．７５％は、第１の閾値４．８％よりも小さいので、第１のバックライトランプアセンブリの６つのバックライトランプへの電流供給を停止する必要があり、第２のバックライトランプアセンブリの６つのバックライトランプが標的輝度値３．７５％に達するために必要な第１の標的電流値を決定する必要がある。第１の標的電流値を計算するために、式（Ａ）：「バックライトランプの数×標的電流値×各ランプの１ミリアンペア当たりの輝度値＝標的輝度値」から式（Ｂ）：「標的電流値＝標的輝度値÷（バックライトランプの数×各ランプの１ミリアンペア当たりの輝度値）」を得ることができ、式（Ｂ）によれば、標的電流値＝標的輝度値（３．７５％）÷（バックライトランプの数（６）×各ランプの１ミリアンペア当たりの輝度値（０．４％））＝１．５６ｍＡである。したがって、端末は、第２のバックライトランプアセンブリの６つのバックライトランプに１．５６ｍＡの標的電流を提供する。標的電流値１．５６ｍＡは、１ｍＡよりも大きいので、第２のバックライトランプアセンブリにおける６つのバックライトランプから発せられる光がちらつくこともなく、光の輝度が不安定になることもない。
【００３１】
図１に示す実施形態では、標的輝度値が第１の閾値よりも小さい場合、第２のバックライトランプアセンブリのバックライトランプにのみ標的電流値が提供され、第１のバックライトランプアセンブリのバックライトランプへの電流供給は停止される。第１のバックライトランプアセンブリのバックライトランプが光を発しないので、電流供給が低すぎることに起因する外部ノイズの干渉を避けるために、第２のバックライトランプアセンブリのバックライトランプに供給される標的電流値を増加させることによって、生じる輝度損失を補う必要がある。したがって、本開示に係る方法により、バックライトランプが超低輝度の光を安定的に発せられるようになる。
【００３２】
本開示の別の実施形態では、工程１１の後、本開示に提供される方法は、現在輝度値が第２の閾値よりも小さく且つ標的輝度値が第２の閾値よりも大きく、第２の閾値が第１の閾値に等しい場合、第１のバックライトランプアセンブリのバックライトランプ及び第２のバックライトランプアセンブリのバックライトランプが共に標的輝度値に達するために必要な第２の標的電流値を決定する工程と、第１のバックライトランプアセンブリのバックライトランプ及び第２のバックライトランプアセンブリのバックライトランプに前記第２の標的電流値を提供する工程とを更に含む。この方法では、第２の閾値が第１の閾値に等しく、現在輝度値が第２の閾値よりも小さく、且つ標的輝度値が第２の閾値よりも大きい場合、即ち、端末が第１のバックライトランプアセンブリのバックライトランプ又は第２のバックライトランプアセンブリのバックライトランプにのみ電流を提供している場合、他方のバックライトランプアセンブリの電源を入れて、端末のスクリーンが標的輝度に従って輝度を提供するのを保証する必要がある。
【００３３】
例えば、端末のスクリーンの輝度値は、百分率によって表され、端末は、第１のバックライトランプアセンブリのバックライトランプにのみ電流を提供するようになっており、端末が第１のバックライトランプアセンブリのバックライトランプ及び第２のバックライトランプアセンブリのバックライトランプに提供する定格動作電流は、１ｍＡ〜２０ｍＡになるようになっている。端末が第１のバックライトランプアセンブリのバックライトランプ及び第２のバックライトランプアセンブリのバックライトランプに１ｍＡ未満の電流を提供する場合、バックライトランプがちらついたり、バックライトランプの輝度が不安定になったりすることがある。第１のバックライトランプアセンブリには６つのバックライトランプが存在し、第２のバックライトランプアセンブリには６つのバックライトランプが存在し、各バックライトランプの１ミリアンペア当たりの輝度は、０．４％であり、現在輝度値は、３．７５％であり、電流値は、その時点で１．５６ｍＡであり、標的輝度値は、１０％である。式（Ａ）：「バックライトランプの数×標的電流値×各ランプの１ミリアンペア当たりの輝度値＝標的輝度値」によれば、第１の閾値＝バックライトランプの数（１２）×標的電流値（１ｍＡ）×各ランプの１ミリアンペア当たりの輝度値（０．４％）＝４．８％になるので、第１の閾値は、４．８％であり、第１の閾値は、第２の閾値に等しいので、第２の閾値は、４．８％である。現在輝度値３．７５％は、第２の閾値４．８％よりも小さく、標的輝度値１０％は、第２の閾値４．８％よりも大きいので、第１のバックライトランプアセンブリの６つのバックライトランプ及び第２のバックライトランプアセンブリの６つのバックライトランプが共に標的輝度値１０％に達するために必要な第２の標的電流値を決定する必要があり、前記第２の標的電流値が、第１のバックライトランプアセンブリの６つのバックライトランプ及び第２のバックライトランプアセンブリの６つのバックライトランプに提供される。第２の標的電流値を計算するために、式（Ａ）：「バックライトランプの数×標的電流値×各ランプの１ミリアンペア当たりの輝度値＝標的輝度値」から式（Ｂ）：「標的電流値＝標的輝度値÷（バックライトランプの数×各ランプの１ミリアンペア当たりの輝度値）」を得ることができ、式（Ｂ）によれば、標的電流値＝標的輝度値（１０％）÷（バックライトランプの数（１２）×各ランプの１ミリアンペア当たりの輝度値（０．４％））＝２ｍＡである。したがって、端末は、第１のバックライトランプアセンブリの６つのバックライトランプ及び第２のバックライトランプアセンブリの６つのバックライトランプに２ｍＡの標的電流を提供する。標的電流値２ｍＡは、１ｍＡよりも大きいので、第１のバックライトランプアセンブリの６つのバックライトランプ及び第２のバックライトランプアセンブリにおける６つのバックライトランプから発せられる光がちらつくこともなく、光の輝度が不安定になることもない。更に、端末のスクリーンは、標的輝度に従って輝度を提供することができる。
【００３４】
本開示の別の実施形態では、工程１１の後、本開示に提供される方法は、現在輝度値が第２の閾値よりも小さく且つ標的輝度値が第２の閾値よりも大きく、第２の閾値が第１の閾値よりも大きい場合、第１のバックライトランプアセンブリのバックライトランプ及び第２のバックライトランプアセンブリのバックライトランプが共に標的輝度値に達するために必要な第２の標的電流値を決定する工程と、第１のバックライトランプアセンブリのバックライトランプ及び第２のバックライトランプアセンブリのバックライトランプに前記第２の標的電流値を提供する工程とを更に含む。この方法では、第２の閾値が第１の閾値よりも大きく、現在輝度値が第２の閾値よりも小さく、且つ標的輝度値が第２の閾値よりも大きい場合、即ち、端末が第１のバックライトランプアセンブリのバックライトランプ又は第２のバックライトランプアセンブリのバックライトランプにのみ電流を提供している場合、他方のバックライトランプアセンブリの電源を入れて、端末のスクリーンが標的輝度に従って輝度を提供するのを保証する必要がある。更に、標的輝度値が緩衝帯の範囲内である場合、単一のバックライトランプアセンブリから２つのバックライトランプアセンブリに又は２つのバックライトランプアセンブリから単一のバックライトランプアセンブリに頻繁に切り換えることなしに端末が元の制御モードを維持することができるように、第１の閾値と第２の閾値との間に緩衝帯を設ける。
【００３５】
例えば、端末のスクリーンの輝度値は、百分率によって表され、端末は、第１のバックライトランプアセンブリのバックライトランプにのみ電流を提供するようになっており、端末が第１のバックライトランプアセンブリのバックライトランプ及び第２のバックライトランプアセンブリのバックライトランプに提供する定格動作電流は、１ｍＡ〜２０ｍＡになるようになっている。端末が第１のバックライトランプアセンブリのバックライトランプ及び第２のバックライトランプアセンブリのバックライトランプに１ｍＡ未満の電流を提供する場合、バックライトランプがちらついたり、バックライトランプの輝度が不安定になったりすることがある。第１のバックライトランプアセンブリには６つのバックライトランプが存在し、第２のバックライトランプアセンブリには６つのバックライトランプが存在し、各バックライトランプの１ミリアンペア当たりの輝度は、０．４％であり、現在輝度値は、３．７５％であり、電流値は、その時点で１．５６ｍＡであり、標的輝度値は、１０％である。式（Ａ）：「バックライトランプの数×標的電流値×各ランプの１ミリアンペア当たりの輝度値＝標的輝度値」によれば、第１の閾値＝バックライトランプの数（１２）×標的電流値（１ｍＡ）×各ランプの１ミリアンペア当たりの輝度値（０．４％）＝４．８％になるので、第１の閾値は、４．８％であり、第２の閾値は、８％に設定される。現在輝度値３．７５％は、第２の閾値８％よりも小さく、標的輝度値１０％は、第２の閾値８％よりも大きいので、第１のバックライトランプアセンブリの６つのバックライトランプ及び第２のバックライトランプアセンブリの６つのバックライトランプが共に標的輝度値１０％に達するために必要な第２の標的電流値を決定する必要があり、前記第２の標的電流値が、第１のバックライトランプアセンブリの６つのバックライトランプ及び第２のバックライトランプアセンブリの６つのバックライトランプに提供される。第２の標的電流値を計算するために、式（Ａ）：「バックライトランプの数×標的電流値×各ランプの１ミリアンペア当たりの輝度値＝標的輝度値」から式（Ｂ）：「標的電流値＝標的輝度値÷（バックライトランプの数×各ランプの１ミリアンペア当たりの輝度値）」を得ることができ、式（Ｂ）によれば、標的電流値＝標的輝度値（１０％）÷（バックライトランプの数（１２）×各ランプの１ミリアンペア当たりの輝度値（０．４％））＝２ｍＡである。したがって、端末は、第１のバックライトランプアセンブリの６つのバックライトランプ及び第２のバックライトランプアセンブリの６つのバックライトランプに２ｍＡの標的電流を提供する。標的電流値２ｍＡは、１ｍＡよりも大きいので、第１のバックライトランプアセンブリの６つのバックライトランプ及び第２のバックライトランプアセンブリの６つのバックライトランプから発せられる光がちらつくこともなく、光の輝度が不安定になることもない。更に、端末のスクリーンは、標的輝度に従って輝度を提供することができる。更に、標的輝度値が緩衝帯の範囲内である場合、単一のバックライトランプアセンブリから２つのバックライトランプアセンブリに又は２つのバックライトランプアセンブリから���一のバックライトランプアセンブリに頻繁に切り換えることなしに端末が元の制御モードを維持することができるように、第１の閾値４．８％と第２の閾値８％との間の緩衝帯は、４．８％〜８％である。
【００３６】
本開示の別の実施形態では、工程１１の後、本開示に提供される方法は、現在輝度値及び標的輝度値がいずれも第１の閾値よりも大きい場合、第１のバックライトランプアセンブリのバックライトランプ及び第２のバックライトランプアセンブリのバックライトランプが共に標的輝度値に達するために必要な第３の標的電流値を決定する工程と、第１のバックライトランプアセンブリのバックライトランプ及び第２のバックライトランプアセンブリのバックライトランプに第３の標的電流値を提供する工程とを更に含む。この方法では、現在輝度値及び標的輝度値がいずれも第１の閾値よりも大きい場合、２つのバックライトランプアセンブリから単一のバックライトランプアセンブリに切り換える必要はなく、２つのバックライトランプアセンブリの電流値を切り換えるだけでよい。
【００３７】
例えば、端末のスクリーンの輝度値は、百分率によって表され、端末は、第１のバックライトランプアセンブリのバックライトランプ及び第２のバックライトランプアセンブリのバックライトランプに電流を提供するようになっており、端末が第１のバックライトランプアセンブリのバックライトランプ及び第２のバックライトランプアセンブリのバックライトランプに提供する定格動作電流は、１ｍＡ〜２０ｍＡになるようになっている。端末が第１のバックライトランプアセンブリのバックライトランプ及び第２のバックライトランプアセンブリのバックライトランプに１ｍＡ未満の電流を提供する場合、バックライトランプがちらついたり、バックライトランプの輝度が不安定になったりすることがある。第１のバックライトランプアセンブリには６つのバックライトランプが存在し、第２のバックライトランプアセンブリには６つのバックライトランプが存在し、各バックライトランプの１ミリアンペア当たりの輝度は、０．４％であり、現在輝度値は、２０％であり、電流値は、その時点で４．１６ｍＡであり、標的輝度値は、３０％である。式（Ａ）：「バックライトランプの数×標的電流値×各ランプの１ミリアンペア当たりの輝度値＝標的輝度値」によれば、第１の閾値＝バックライトランプの数（１２）×標的電流値（１ｍＡ）×各ランプの１ミリアンペア当たりの輝度値（０．４％）＝４．８％になるので、第１の閾値は、４．８％である。現在輝度値２０％及び標的輝度値３０％は、いずれも第１の閾値４．８％よりも大きいので、２つのバックライトランプアセンブリから単一のバックライトランプアセンブリに切り換える必要はなく、２つのバックライトランプアセンブリの電流値を切り換えるだけでよい。第３の標的電流値を計算するために、式（Ａ）：「バックライトランプの数×標的電流値×各ランプの１ミリアンペア当たりの輝度値＝標的輝度値」から式（Ｂ）：「標的電流値＝標的輝度値÷（バックライトランプの数×各ランプの１ミリアンペア当たりの輝度値）」を得ることができ、式（Ｂ）によれば、標的電流値＝標的輝度値（３０％）÷（バックライトランプの数（１２）×各ランプの１ミリアンペア当たりの輝度値（０．４％））＝６．２５ｍＡである。したがって、端末は、第１のバックライトランプアセンブリの６つのバックライトランプ及び第２のバックライトランプアセンブリの６つのバックライトランプに６．２５ｍＡの標的電流を提供する。
【００３８】
本開示の別の実施形態では、工程１１の後、本開示に提供される方法は、現在輝度値及び標的輝度値がいずれも第１の閾値よりも小さく且つ第１のバックライトランプアセンブリのバックライトランプにのみ電流が提供される場合、第１のバックライトランプ群の前記バックライトランプが標的輝度値に達するために必要な第４の標的電流値を決定する工程と、第１のバックライトランプアセンブリのバックライトランプに第４の標的電流値を提供する工程とを更に含む。この方法では、現在輝度値及び標的輝度値がいずれも第１の閾値よりも小さい場合、単一のバックライトランプアセンブリから２つのバックライトランプアセンブリに切り換える必要はなく、第１のバックライトランプアセンブリに供給される電流値を切り換えるだけでよい。
【００３９】
例えば、端末のスクリーンの輝度値は、百分率によって表され、端末は、第１のバックライトランプアセンブリのバックライトランプにのみ電流を提供するようになっており、端末が第１のバックライトランプアセンブリのバックライトランプ及び第２のバックライトランプアセンブリのバックライトランプに提供する定格動作電流は、１ｍＡ〜２０ｍＡになるようになっている。端末が第１のバックライトランプアセンブリのバックライトランプ及び第２のバックライトランプアセンブリのバックライトランプに１ｍＡ未満の電流を提供する場合、バックライトランプがちらついたり、バックライトランプの輝度が不安定になったりすることがある。第１のバックライトランプアセンブリには６つのバックライトランプが存在し、第２のバックライトランプアセンブリには６つのバックライトランプが存在し、各バックライトランプの１ミリアンペア当たりの輝度は、０．４％であり、現在輝度値は、３％であり、電流値は、その時点で１．２５ｍＡであり、標的輝度値は、４％である。式（Ａ）：「バックライトランプの数×標的電流値×各ランプの１ミリアンペア当たりの輝度値＝標的輝度値」によれば、第１の閾値＝バックライトランプの数（１２）×標的電流値（１ｍＡ）×各ランプの１ミリアンペア当たりの輝度値（０．４％）＝４．８％になるので、第１の閾値は、４．８％である。現在輝度値３％及び標的輝度値４％は、いずれも第１の閾値４．８％よりも小さいので、単一のバックライトランプアセンブリから２つのバックライトランプアセンブリに切り換える必要はなく、１つのバックライトランプアセンブリの電流値を切り換えるだけでよい。第４の標的電流値を計算するために、式（Ａ）：「バックライトランプの数×標的電流値×各ランプの１ミリアンペア当たりの輝度値＝標的輝度値」から式（Ｂ）：「標的電流値＝標的輝度値÷（バックライトランプの数×各ランプの１ミリアンペア当たりの輝度値）」を得ることができ、式（Ｂ）によれば、標的電流値＝標的輝度値（４％）÷（バックライトランプの数（６）×各ランプの１ミリアンペア当たりの輝度値（０．４％））＝１．６ｍＡである。したがって、端末は、第１のバックライトランプアセンブリの６つのバックライトランプに１．６ｍＡの標的電流を提供する。
【００４０】
本開示の別の実施形態では、工程１２の前に、本開示に提供される方法は、第１のバックライトランプアセンブリの第１の合計動作時間及び第２のバックライトランプアセンブリの第２の合計動作時間のそれぞれをそれぞれ決定する工程と；前記第１の合計動作時間が前記第２の合計動作時間よりも長いかどうかを判定する工程と；前記第１の合計動作時間が前記第２の合計動作時間よりも長い場合、工程１２を実行する工程と；前記第１の合計動作時間が前記第２の合計動作時間以下である場合、前記第２のバックライトランプアセンブリのバックライトランプへの電流の提供を停止し、第１のバックライトランプアセンブリのバックライトランプが標的輝度値に達するために必要な第５の標的電流値を決定し、第１のバックライトランプアセンブリのバックライトランプに前記第５の標的電流値を提供する工程とを更に含む。この方法では、第１の合計動作時間が第２の合計動作時間よりも長い場合、即ち、第１のバックライトランプアセンブリの合計動作時間が第２のバックライトランプアセンブリの合計動作時間よりも長い場合、工程１２（即ち、第１のバックライトランプアセンブリのバックライトランプへの電流の提供を停止すること、及び後続操作）は、第１のバックライトランプアセンブリの動作時間と第２のバックライトランプアセンブリの動作時間とを等しくするために実行する必要がある。第１の合計動作時間が第２の合計動作時間以下である場合、即ち、第２のバックライトランプアセンブリの合計動作時間が第１のバックライトランプアセンブリの合計動作時間よりも長い場合、第１のバックライトランプアセンブリの動作時間と第２のバックライトランプアセンブリの動作時間とを等しくするために、第２のバックライトランプアセンブリのバックライトランプへの電流供給を停止する必要があり、第１のバックライトランプアセンブリのバックライトランプが標的輝度値に達するために必要な第５の標的電流値を決定する必要があり、前記第５の標的電流値を第１のバックライトランプアセンブリのバックライトランプに提供する必要がある。
【００４１】
図２は、例示的な実施形態に係るバックライト輝度制御装置の概略図である。本開示に提供されるバックライト輝度制御装置により、バックライトランプが超低輝度の光を安定的に発せられるようになる。図２を参照すると、この装置は、第１のバックライトランプアセンブリ２１と、第２のバックライトランプアセンブリ２２と、受信モジュール２３と、第１の実行モジュール２４とを含む。第１のバックライトランプアセンブリ２１及び第２のバックライトランプアセンブリ２２は、いずれも複数のバックライトランプを含む。受信モジュール２３は、現在輝度値を標的輝度値に調整するための制御命令を受信するようになっている。第１の実行モジュール２４は、現在輝度値が第１の閾値よりも大きく且つ標的輝度値が第１の閾値よりも小さい場合、第１のバックライトランプアセンブリのバックライトランプへの電流の提供を停止し、第２のバックライトランプアセンブリのバックライトランプが標的輝度値に達するために必要な第１の標的電流値を決定し、第２のバックライトランプアセンブリのバックライトランプに第１の標的電流値を提供するようになっている。
【００４２】
本開示の別の実施形態では、前記装置は、現在輝度値が第２の閾値よりも小さく且つ標的輝度値が第２の閾値よりも大きく、第２の閾値が第１の閾値以上である場合、第１のバックライトランプアセンブリのバックライトランプ及び第２のバックライトランプアセンブリのバックライトランプが共に標的輝度値に達するために必要な第２の標的電流値を決定し、前記第１のバックライトランプアセンブリのバックライトランプ及び前記第２のバックライトランプアセンブリのバックライトランプに第２の標的電流値を提供するようになっている第２の実行モジュールを更に含む。
【００４３】
本開示の別の実施形態では、前記装置は、現在輝度値及び標的輝度値がいずれも第１の閾値よりも大きい場合、第１のバックライトランプアセンブリのバックライトランプ及び第２のバックライトランプアセンブリのバックライトランプが共に標的輝度値に達するために必要な第３の標的電流値を決定し、第１のバックライトランプアセンブリのバックライトランプ及び第２のバックライトランプアセンブリのバックライトランプに第３の標的電流値を提供するようになっている第３の実行モジュールを更に含む。
【００４４】
本開示の別の実施形態では、前記装置は、現在輝度値及び標的輝度値がいずれも第１の閾値よりも小さく且つ第１のバックライトランプアセンブリのバックライトランプにのみ電流が提供される場合、第１のバックライトランプアセンブリのバックライトランプが標的輝度値に達するために必要な第４の標的電流値を決定し、第１のバックライトランプアセンブリのバックライトランプに第４の標的電流値を提供するようになっている第４の実行モジュールを更に含む。
【００４５】
本開示の別の実施形態では、前記装置は、第１のバックライトランプアセンブリの第１の合計動作時間及び第２のバックライトランプアセンブリの第２の合計動作時間のそれぞれを決定するようになっている第１の決定モジュールと；前記第１の合計動作時間が前記第２の合計動作時間よりも長いかどうかを判定するようになっている第１の判定モジュールと；前記第１の合計動作時間が前記第２の合計動作時間よりも長い場合、前記第１の実行モジュール２４を実行し、前記第１の合計動作時間が前記第２の合計動作時間以下である場合、前記第２のバックライトランプアセンブリのバックライトランプへの電流の提供を停止し、第１のバックライトランプアセンブリのバックライトランプが標的輝度値に達するために必要な第５の標的輝度値を決定し、第１のバックライトランプアセンブリのバックライトランプに前記第５の標的電流値を提供するようになっている第５の実行モジュールとを更に含む。
【００４６】
上記実施形態における装置に関して、その中の個々のモジュールの操作を実施するための具体的な方法は、前記方法に関する実施形態に詳細に記載されているので、ここには記載しない。
【００４７】
図３は、例示的な実施形態に係るバックライト輝度制御装置８００のブロック図である。例えば、装置８００は、携帯電話、コンピュータ、デジタル放送端末、通信装置、ゲームコンソール、タブレット、医療機器、運動器具、携帯情報端末等であってよい。
【００４８】
図３を参照すると、装置８００は、以下のコンポーネントのうちの１以上を含んでよい：処理コンポーネント８０２、メモリ８０４、電力コンポーネント８０６、マルチメディアコンポーネント８０８、オーディオコンポーネント８１０、インプット／アウトプット（Ｉ／Ｏ）インターフェース８１２、センサコンポーネント８１４、及び通信コンポーネント８１６。
【００４９】
処理コンポーネント８０２は、典型的に、ディスプレイ、電話による通話、データ通信、カメラ操作、及び記録操作に関連する操作等、装置８００の操作全体を制御する。処理コンポーネント８０２は、上記方法における工程の全て又は一部を実施するための命令を実行する１以上のプロセッサ８２０を含んでいてよい。更に、処理コンポーネント８０２は、処理コンポーネント８０２と他のコンポーネントとの間の相互作用を促進する１以上のモジュールを含んでいてよい。例えば、処理コンポーネント８０２は、マルチメディアコンポーネント８０８と処理コンポーネント８０２との間の相互作用を促進するマルチメディアモジュールを含んでいてよい。
【００５０】
メモリ８０４は、装置８００の操作をサポートするために様々な種類のデータを保存するようになっている。かかるデータの例としては、装置８００で操作される任意のアプリケーション又は方法のための命令、連絡先データ、電話帳データ、メッセージ、写真、ビデオ等が挙げられる。メモリ８０４は、例えば、スタティックランダムアクセスメモリ（ＳＲＡＭ）、電気的消去書込み可能な読出し専用メモリ（ＥＥＰＲＯＭ）、消去書込み可能な読出し専用メモリ（ＥＰＲＯＭ）、書込み可能な読出し専用メモリ（ＰＲＯＭ）、読出し専用メモリ（ＲＯＭ）、磁気メモリ、フラッシュメモリ、磁気又は光ディスク等の任意の種類の揮発性メモリ若しくは不揮発性メモリデバイス、又はこれらの組み合わせを用いて実行され得る。
【００５１】
電力コンポーネント８０６は、装置８００の様々なコンポーネントに電力を提供する。電力コンポーネント８０６は、電力管理システム、１以上の電源、及び装置８００における発電、電力管理、及び配電に関連する任意の他のコンポーネントを含んでいてよい。
【００５２】
マルチメディアコンポーネント８０８は、装置８００とユーザとの間に出力インターフェースを提供するスクリーンを含む。幾つかの実施形態では、スクリーンは、液晶ディスプレイ（ＬＣＤ）及びタッチパネル（ＴＰ）を含んでいてよい。スクリーンがタッチパネルを含んでいる場合、スクリーンは、タッチスクリーンとして実行されて、ユーザからの入力シグナルを受信することができる。タッチパネルは、タッチパネル上におけるタッチ、スワイプ、及びジェスチャーを感知するために１以上のタッチセンサを含む。タッチセンサは、タッチ又はスワイプ動作の境界を感知するだけでなく、タッチ又はスワイプ動作に関連する時間及び圧力も感知することができる。幾つかの実施形態では、マルチメディアコンポーネント８０８は、フロントカメラ及び／又はリアカメラを含む。フロントカメラ及びリアカメラは、装置８００が、撮影モード又はビデオモード等の操作モードにある間、外部マルチメディアデータを受信することができる。フロントカメラ及びリアカメラは、それぞれ、固定光学レンズシステムであってもよく、フォーカス及び光学ズーム機能を有していてもよい。
【００５３】
オーディオコンポーネント８１０は、オーディオシグナルを出力及び／又は入力するようになっている。例えば、オーディオコンポーネント８１０は、装置８００が、例えば、通話モード、記録モード、及び音声認識モード等の操作モードにあるとき、外部オーディオシグナルを受信するようになっているマイクロホン（ＭＩＣ）を含む。受信されたオーディオシグナルは、更にメモリ８０４に保存してもよく、通信コンポーネント８１６を介して送信してもよい。幾つかの実施形態では、オーディオコンポーネント８１０は、オーディオシグナルを出力するためのスピーカーを更に含む。
【００５４】
Ｉ／Ｏインターフェース８１２は、処理コンポーネント８０２とキーボード、クリックホイール、ボタン等の周辺インターフェースモジュールとの間にインターフェースを提供する。ボタンとしては、例えば、ホームボタン、ボリュームボタン、スタートボタン、及びロックボタン等を挙げることができるが、これらに限定されない。
【００５５】
センサコンポーネント８１４は、装置８００の様々な態様のステータスアセスメントを提供するための１以上のセンサを含む。例えば、センサコンポーネント８１４は、装置８００の開閉状態、装置８００のコンポーネント（例えば、ディスプレイ及びキーパッド）の相対配置、装置８００又は装置８００のコンポーネントの位置変化、装置８００と接触しているユーザの有無、装置８００の配向又は加速／減速、及び装置８００の温度変化を検出し得る。センサコンポーネント８１４は、任意の物理的接触なしに近傍の物体の存在を検出するようになっている近接センサを含んでいてよい。また、センサコンポーネント８１４は、イメージングアプリケーションで用いるための光センサ、例えば、ＣＭＯＳ又はＣＣＤ画像センサを含んでいてよい。幾つかの実施形態では、センサコンポーネント８１４は、加速度センサ、ジャイロスコープセンサ、磁気センサ、圧力センサ、又は温度センサを含んでいてよい。
【００５６】
通信コンポーネント８１６は、装置８００と他の装置との間の有線又は無線の通信を促進するようになっている。装置８００は、ＷｉＦｉ、２Ｇ、若しくは３Ｇ等の通信規格、又はこれらの組み合わせに基づいて無線ネットワークにアクセスすることができる。１つの例示的な実施形態では、通信コンポーネント８１６は、放送チャネルを介して外部放送管理システムから放送信号又は放送に関連する情報を受信する。１つの例示的な実施形態では、通信コンポーネント８１６は、更に、近距離通信を促進するために近距離無線通信（ＮＦＣ）モジュールを含む。例えば、ＮＦＣモジュールは、無線ＩＣタグ（ＲＦＩＤ）技術、赤外線データ協会（ＩｒＤＡ）技術、超広帯域（ＵＷＢ）技術、ブルートゥース（ＢＴ）技術、及び他の技術に基づいて実行してよい。
【００５７】
例示的な実施形態では、装置８００は、上記方法を実施するために、１以上の特定用途向け集積回路（ＡＳＩＣ）、デジタル信号プロセッサ（ＤＳＰ）、デジタル信号処理装置（ＤＳＰＤ）、プログラマブル論理装置（ＰＬＤ）、フィールドプログラマブルゲートアレイ（ＦＰＧＡ）、コントローラ、マイクロコントローラ、マイクロプロセッサ、又は他の電子部品を用いて実行してよい。
【００５８】
例示的な実施形態では、上記方法を実施するために、装置８００におけるプロセッサ８２０によって実行可能な（例えば、メモリ８０４に保存されている）命令を含む非一時的コンピュータ可読記憶媒体も提供される。例えば、非一時的コンピュータ可読記憶媒体は、ＲＯＭ、ＲＡＭ、ＣＤ−ＲＯＭ、磁気テープ、フロッピー（登録商標）ディスク、光学データ記録装置等であってよい。
【００５９】
移動端末のプロセッサによって実行されるときに前記移動端末にバックライト輝度制御方法を実施させる命令が保存されている非一時的コンピュータ可読記憶媒体が提供される。前記方法は、現在輝度値を標的輝度値に調整するための制御命令を受信することと；現在輝度値が第１の閾値よりも大きく且つ標的輝度値が第１の閾値よりも小さい場合、第１のバックライトランプアセンブリのバックライトランプへの電流の提供を停止し、第２のバックライトランプアセンブリのバックライトランプが標的輝度値に達するために必要な第１の標的電流値を決定し、前記第１の標的電流値を前記第２のバックライトランプアセンブリのバックライトランプに提供することとを含む。
【００６０】
本発明の他の実施形態は、本明細書に開示する本発明の詳細及び実施を考慮して当業者に明らかである。本願は、当技術分野における公知の実施又は慣行の範囲内であるとき、本開示の一般的な原理に従い、且つ本開示からの下記逸脱を含む本発明の任意の変形例、使用、又は適応を網羅することを意図する。明細書及び実施例は、単なる例示であるとみなされ、本発明の真の範囲及び趣旨は、以下の特許請求の範囲によって示されることを意図する。
【００６１】
本発明は、上に記載した及び添付図面に図示した正確な構造に限定されるものではなく、本発明の範囲から逸脱することなしに様々な改変及び変更を行い得ることが理解される。本発明の範囲は、添付の特許請求の範囲によってのみ限定されることを意図する。
【図１】
0006293909.tif 000002
【図２】
0006293909.tif 000003
【図３】
0006293909.tif 000004